(57)【要約】【課題】さらなる寝心地の改善や身体保護の機能を向上させた枕を提供すること。【解決手段】本発明の枕は、所定の幅を有する本体部２０と、本体部から幅方向に垂直な長さ方向に延設された延設部１０と、を備える。そして、延設部１０は、幅方向の中心を挟んで左右に分離されて構成されている。さらに、本体部２０の幅方向の中心に、当該中心とは異なる箇所よりも高さが高く形成された中央支持部２１が、長さ方向に沿って所定の長さだけ形成されている、という構成をとる。【選択図】図１
2019201983.tif 000002
【特許請求の範囲】
【請求項１】
所定の幅を有する本体部と、
前記本体部から幅方向に垂直な長さ方向に延設された延設部と、を備え、
前記延設部は、幅方向の中心を挟んで左右に分離されて構成されており、
前記本体部の幅方向の中心に、当該中心とは異なる箇所よりも高さが高く形成された中央支持部が、長さ方向に沿って所定の長さだけ形成されている、
枕。
【請求項２】
請求項１に記載の枕であって、
前記本体部は、前記中央支持部を挟んで幅方向の左右箇所にそれぞれ、当該中央支持部を除いた当該本体部の他の箇所よりも高さが低く形成された凹部が形成されている、
枕。
【請求項３】
請求項２に記載の枕であって、
前記本体部から前記延設部とは反対側の長さ方向に延設された第二延設部を備え、
前記第二延設部は、幅方向の中心を挟んで左右に分離されて構成されている、
枕。
【請求項４】
請求項２又は３に記載の枕であって、
前記中央支持部及び前記凹部を除いた箇所の高さが、長さ方向において前記延設部側から前記本体部側に向かうにつれて徐々に低くなるよう形成されている、
枕。
【請求項５】
請求項２乃至４のいずれかに記載の枕であって、
前記延設部の幅方向の中心に位置する分離箇所は、人物の頭部が配置される頭部配置箇所を形成し、
前記本体部の前記中央支持部は、人物の脊椎が配置される脊椎配置箇所を形成し、
前記本体部の前記凹部は、人物の肩甲骨が配置される肩甲骨配置箇所を形成している、
枕。
【請求項６】
請求項２乃至４のいずれかに記載の枕であって、
前記本体部の前記中央支持部は、人物の腰椎が配置される脊椎配置箇所を形成している、
枕。
【請求項７】
所定の幅を有する本体部と、
前記本体部から幅方向に垂直な長さ方向に延設された延設部と、を備え、
前記延設部は、幅方向の中心を挟んで左右に分離されて構成されており、
前記本体部は、当該本体部の幅方向の中心を挟んで幅方向の左右箇所にそれぞれ、当該本体部の他の箇所よりも高さが低く形成された凹部が形成されている、
枕。
【発明の詳細な説明】
【技術分野】
【０００１】
本発明は、枕に関する。
【背景技術】
【０００２】
寝心地の改善や身体保護のために、種々の形状の枕が開発されている。特に、特許文献１に記載のように、人体の首つまり頸椎の形状を考慮したものが多く検討されている。具体的に、特許文献１に開示の枕は、頭部を支持する面と頸椎部を支持する面との高さを調整できることを特徴としている。
【先行技術文献】
【特許文献】
【０００３】
【特許文献１】特開２０１７−１６９６２６号公報
【発明の概要】
【発明が解決しようとする課題】
【０００４】
しかしながら、上述した枕では、背骨や肩甲骨についての身体保護については考慮されていない。このため、上述した技術では、寝心地の改善や身体保護には不十分である、という問題が生じる。
【０００５】
本発明の目的は、さらなる寝心地の改善や身体保護の機能を向上させた枕を提供することにある。
【課題を解決するための手段】
【０００６】
本発明の一形態である枕は、
所定の幅を有する本体部と、
前記本体部から幅方向に垂直な長さ方向に延設された延設部と、を備え、
前記延設部は、幅方向の中心を挟んで左右に分離されて構成されており、
前記本体部の幅方向の中心に、当該中心とは異なる箇所よりも高さが高く形成された中央支持部が、長さ方向に沿って所定の長さだけ形成されている、
という構成をとる。
【０００７】
また、上記枕では、
前記本体部は、前記中央支持部を挟んで幅方向の左右箇所にそれぞれ、当該中央支持部を除いた当該本体部の他の箇所よりも高さが低く形成された凹部が形成されている、
という構成をとる。
【０００８】
また、上記枕では、
前記本体部から前記延設部とは反対側の長さ方向に延設された第二延設部を備え、
前記第二延設部は、幅方向の中心を挟んで左右に分離されて構成されている、
という構成をとる。
【０００９】
また、上記枕では、
前記中央支持部及び前記凹部を除いた箇所の高さが、長さ方向において前記延設部側から前記本体部側に向かうにつれて徐々に低くなるよう形成されている、
という構成をとる。
【００１０】
また、上記枕では、
前記延設部の幅方向の中心に位置する分離箇所は、人物の頭部が配置される頭部配置箇所を形成し、
前記本体部の前記中央支持部は、人物の脊椎が配置される脊椎配置箇所を形成し、
前記本体部の前記凹部は、人物の肩甲骨が配置される肩甲骨配置箇所を形成している、
という構成をとる。
【００１１】
また、上記枕では、
前記本体部の前記中央支持部は、人物の腰椎が配置される脊椎配置箇所を形成している、
という構成をとる。
【００１２】
また、本発明の他の形態である枕は、
所定の幅を有する本体部と、
前記本体部から幅方向に垂直な長さ方向に延設された延設部と、を備え、
前記延設部は、幅方向の中心を挟んで左右に分離されて構成されており、
前記本体部は、当該本体部の幅方向の中心を挟んで幅方向の左右箇所にそれぞれ、当該本体部の他の箇所よりも高さが低く形成された凹部が形成されている、
という構成をとる。
【発明の効果】
【００１３】
本発明の枕は、以上のように構成されることにより、さらなる寝心地の改善や身体保護の機能を向上させることができる。
【図面の簡単な説明】
【００１４】
【図１】本発明における枕の構成を示す正面図である。
【図２】図１に開示した枕の側面図である。
【図３】図１に開示した枕の断面図である。
【図４】図１に開示した枕の使用状況を示す図である。
【発明を実施するための形態】
【００１５】
＜実施形態１＞
本発明の第１の実施形態を、図１乃至図４を参照して説明する。図１乃至図３は、枕の構成を示す図であり、図４は、枕の使用時の様子を示す図である。
【００１６】
本発明の実施形態１における枕は、人物が寝る際に頭部を含む上半身を支持するためのものである。但し、本発明の枕は、人物の腰部を支持するために使用してもよい。以下、図１に示した枕の正面図、図２に示した枕の側面図、さらには、図３に示した枕の断面図を参照して、枕の構造を説明する。なお、本実施形態では、図１の紙面横方向を枕の幅方向とし、幅方向に対して垂直方向である図１の紙面縦方向を枕の長さ方向として説明する。また、図１の紙面における上方側を先端側、下方側を後端側として説明する。
【００１７】
図１に示すように、枕は、長さ方向の中心に位置する所定の幅を有する本体部２０と、本体部２０から長さ方向における先端側に延設された第一延設部１０と、本体部２０から上記第一延設部１０側とは反対側である長さ方向における後端側に延設された第二延設部３０と、を備えて構成されている。そして、第一延設部１０と本体部２０と第二延設部３０とは、それぞれが連結して一体的に構成されている。
【００１８】
なお、枕の幅は、例えば、人体Ｐの胴体の幅と同等程度に形成されており、枕の長さは、人体Ｐの頭部から胸部または腹部あたりまでと同等程度の長さに形成されている。但し、枕のサイズは、上述したサイズに限定されない。
【００１９】
上記第一延設部１０（延設部）は、幅方向の中心を挟んで左右に分離されて構成されている。つまり、第一延設部１０は、連結している本体部２０から二股に分かれた対となる先端側分離部１１を備えている。例えば、対となる先端側分離部１１は、人物Ｐの頭部の全部又は一部が収容される距離だけ相互に離間して形成されている。
【００２０】
先端側分離部１１は、図２の側面図及び図３のＡ−Ａ線断面図に示すように所定の厚みを有しており、例えば、図１のＡ−Ａ線部分において５ｃｍ程度の厚みに形成されるが、いかなる厚みであってもよい。なお、先端側分離部１１つまり第一延設部１０は、図２に示すように、先端側から後端側に向かうにつれて、高さが徐々に低くなるよう形成されている。
【００２１】
上記第二延設部３０は、上述した第一延設部１０とほぼ同様の構成を取っている。具体的に、第二延設部３０は、幅方向の中心を挟んで左右に分離されて構成されている。つまり、第二延設部３０は、連結している本体部２０から二股に分かれた対となる後端側分離部３１を備えている。
【００２２】
後端側分離部３１は、図２の側面図及び図３のＣ−Ｃ線断面図に示すように所定の厚みを有しており、例えば、上述した第一延設部１０及び後述する本体部２０の厚みよりも小さく形成され、図１のＣ−Ｃ線部分において２ｃｍ程度の厚みに形成される。但し、第二延設部３０の厚みは、いかなる厚みであってもよい。なお、後端側分離部１１つまり第二延設部３０は、図２に示すように、先端側から後端側に向かうにつれて、徐々に高さが低くなるよう形成されている。
【００２３】
上記本体部２０は、図２に示すように、長さ方向において上述した第一延設部１０及び第二延設部３０に挟まれた部位であり、全体的な厚みは、第一延設部１０よりも厚く、第二延設部３０よりも薄く形成されている。具体的に、本体部２０の厚みは、図２に示すように、先端側から後端側に向かうにつれて、徐々に高さが低くなるよう形成されている。このため、枕全体としても、図２に示すように、後述する中央支持部２１及び凹部２２を除いて、先端側から後端側に向かうにつれて、高さが徐々に低くなるよう形成されている。
【００２４】
本体部２０の表面は、平坦ではなく、以下に説明する凹凸部位を有する。まず、本体部２０の幅方向の中心には、図１、図２及び図３のＢ−Ｂ線断面図に示すように、後述する凹部２２を除いた本体部２０の他の箇所よりも厚みが厚く形成されることで、かかる部位の高さが高くなるよう形成された中央支持部２１が形成されている。中央支持部２１は、所定の幅の平坦部分を有し、長さ方向に沿って所定の長さを有して形成されている。例えば、中央支持部２１は、図１のＢ−Ｂ線部分において６ｃｍ程度の厚みに形成される。但し、中央支持部２１の厚みは、いかなる厚みであってもよい。なお、中央支持部２１は、図２に示すように、先端側から後端側に向かうにつれて、高さが徐々に低くなるよう形成されている。
【００２５】
また、本体部２０には、図１、図２及び図３のＢ−Ｂ線断面図に示すように、上記中央支持部２１を挟んで幅方向における左右箇所のそれぞれに、本体部２０の他の箇所よりも高さが低く形成された対となる凹部２２が形成されている。凹部２２は、本体部２０の表面において、中央支持部２１から左右に所定範囲に広がる凹んだ形状に形成されており、例えば、人物Ｐの肩甲骨が収容される広さに形成されている。
【００２６】
次に、上述した構成の枕の使用方法を説明する。まず、人物Ｐは、図４に示すように、頭部を含む上半身を仰向けで支持するために使用することができる。この場合、人物Ｐは、第一延設部１０と本体部２０との連結箇所に頸椎が位置するよう、第一延設部１０の対となる先端側分離部１１の間に仰向けで頭部を収容させる。つまり、対となる先端側分離部１１の間に形成された箇所は、人物Ｐの頭部が配置される頭部配置箇所を形成していることとなる。
【００２７】
これにより、本体部２０の中央支持部２１は、人物Ｐの脊椎が配置される脊椎配置箇所を形成することとなり、人物Ｐの脊椎を支持することとなる。また、本体部２０の対となる凹部２２は、人物Ｐの左右の肩甲骨が配置される肩甲骨配置箇所を形成することとなり、人物Ｐの左右の肩甲骨が収容されることとなる。さらに、第二延設部３０の対となる後端側分離部３１により腰部が支持されることとなる。
【００２８】
以上のように、本発明の枕によって人物Ｐを支持することで、人物Ｐの頸椎の形状を適切に維持することができ、首のゆがみや寝違いを改善することができる。また、気道を確保することができ、いびきを解消し、睡眠時無呼吸症候群を改善することも期待できる。また、人物Ｐの脊椎が中央支持部２１で支持されると同時に、肩甲骨が凹部２２に収容されることで、背骨や肩甲骨を適切な形状で維持することができ、猫背の矯正をはかることができる。なお、人物Ｐが横向きになったときには、第一延設部１０の左右の先端側分離部１１で頭部を支持することができる。このとき、先端側分離部１１は枕の他の箇所よりも高く形成されているため、横向きの頭部を適切な高さで支持することができる。
【００２９】
なお、本発明における枕は、必ずしも人物Ｐの頭部を含む上半身を支持するために使用されることに限定されない。例えば、枕は、人物Ｐの腰部を支持するために使用されてもよい。この場合、人物Ｐは、本体部２０の中央支持部２１に、人物Ｐの腰椎が配置されるよう仰向けに寝そべる。つまり、この使用方法では、中央支持部２１が、人物Ｐの腰椎が配置される腰椎配置箇所を形成していることとなる。このように本発明の枕を使用することによって、腰椎矯正を行うことができる。
【００３０】
また、本発明における枕は、中央支持部２１が形成されていなくてもよい。つまり、枕の本体部２０の表面は、概ね、全体的にほぼ平坦に形成されていて、先端側から後端側に向かうにつれて高さが徐々に低くなるよう形成されている。これに加え、本体部２０は、幅方向の中心を挟んで当該幅方向の左右箇所のそれぞれに、本体部２０の他の箇所よりも高さが低く形成された対となる凹部２２が形成されている。
【００３１】
上記構成の枕を、人物Ｐはうつ伏せで利用することができる。これにより、人物Ｐの頭部である顔部分が第一延設部１０の対となる先端側分離部１１の間に収容され、胸部が本体部２０の凹部２２箇所に位置することとなり、人物Ｐは腰椎の矯正を行うことができる。
【００３２】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００３３】
１０  第一延設部
１１  先端側分離部
２０  本体部
２１  中央支持部
２２  凹部
３０  第二延設部
３１  後端側分離部
Ｐ  人物
【図１】
2019201983.tif 000003
【図２】
2019201983.tif 000004
【図３】
2019201983.tif 000005
【図４】
2019201983.tif 000006